(57)【特許請求の範囲】
【請求項１】
非ニュートン性化粧品組成物とともに使用するためのブラシヘッドであって、
ブラシヘッド基部部材であって、関連する器具の動作中に前記器具に対して適所に固定され続ける基部部材（３０；４７；７３；８０）と、
前記基部部材（３０；４７；７３；８０）に取り付けられ、かつ、皮膚と快適に接触するように適合された、少なくとも１つのブリストルの外側リング（３２、３４；４８，４９；８２，８４）と、
ずり減粘特性を有する固体、半固体、またはゲルの非ニュートン性化粧品組成物を捕捉するように適合された内側ブラシヘッド部分であって、前記ブラシヘッドが取り付けられ得る前記器具内のモータ組立体によって生じる前記内側ブラシヘッド部分への振動作用によりエネルギーを受け取るようにさらに適合された内側ブラシヘッド部分と、を備え、
選択された振動数および振幅での前記内側ブラシヘッド部分の振動が、固体、半固体、またはゲルから液体への、前記非ニュートン性化粧品組成物の状態の変化をもたらし、
前記内側ブラシヘッド部分が、ブリストルの１つまたは複数の内側リング（４５，４６）と、前記非ニュートン性化粧品組成物を支持する複数のエラストマ部材（４０−４３）と、前記非ニュートン性化粧品組成物が固定され得る、前記エラストマ部材（４０−４３）よりも高さのある中心杭（３８）と、を含み、それにより前記器具が向きを変えるときに、前記固体、半固体、またはゲルの非ニュートン性化粧品組成物が前記ブラシヘッド内に維持される、ブラシヘッド。
【請求項２】
請求項１に記載のブラシヘッドにおいて、前記液体が、メーキャップ除去に有用である、ブラシヘッド。
【請求項３】
請求項１に記載のブラシヘッドにおいて、固定された同心の２つの外側リング（３２、３４；４８，４９；８２，８４）を含み、前記内側ブラシヘッド部分が、少なくとも２つの同心のブリストルの内側リング（４５，４６）と、複数のエラストマ部材のリング（４０−４３）と、を含む、ブラシヘッド。
【請求項４】
請求項３に記載のブラシヘッドにおいて、前記ブリストルの内側リング（４５，４６）及び前記外側リング（３２，３４）が、１．０７９５ｃｍ（０．４２５インチ）の高さを有する３ミルのＤｕＰｏｎｔスーパーソフトフィラメントであり、
前記複数のエラストマ部材のリング（４０−４３）が、おおよそ０．１５２４ｃｍ（０．０６インチ）の直径を有して高さが０．１２７ｃｍ（０．０５インチ）〜０．８８９ｃｍ（０．３５インチ）に変化する、ブラシヘッド。
【請求項５】
非ニュートン性化粧品組成物とともに使用するためのブラシヘッドであって、
ブラシヘッド基部部材であって、関連する器具の動作中に前記器具に対して適所に固定され続ける基部部材（３０；４７；７３；８０）と、
前記基部部材（３０；４７；７３；８０）に取り付けられ、かつ、皮膚と快適に接触するように適合された、少なくとも１つのブリストルの外側リング（３２、３４；４８，４９；８２，８４）と、
ずり減粘特性を有する固体、半固体、またはゲルの非ニュートン性化粧品組成物を捕捉するように適合された内側ブラシヘッド部分であって、前記ブラシヘッドが取り付けられ得る前記器具内のモータ組立体によって生じる前記内側ブラシヘッド部分への振動作用によりエネルギーを受け取るようにさらに適合された内側ブラシヘッド部分と、を備え、
選択された振動数および振幅での前記内側ブラシヘッド部分の振動が、固体、半固体、またはゲルから液体への、前記非ニュートン性化粧品組成物の状態の変化をもたらし、
前記内側ブラシヘッド部分が、前記外側リング（３２、３４；４８，４９；８２，８４）と同じ高さを有するブリストルの複数の内側リング（５２−５５）を含み、さらに、前記内側ブラシヘッド部分は、前記ブリストルの複数の内側リング（５２−５５）と前記外側リング（３２、３４；４８，４９；８２，８４）との間で前記ブリストルの複数の内側リング（５２−５５）を取り囲む少なくとも２つのエラストマ部材のリング（５６，５８）を含み、
前記エラストマ部材のリング（５６，５８）が、前記ブリストルの複数の内側リング（５２−５５）よりも短く、前記固体、半固体、またはゲルの非ニュートン性化粧品組成物が、ドーナツ形状とされ、前記固体、半固体、またはゲルの非ニュートン性化粧品組成物が前記ブラシヘッド上に位置決めされるときに、前記ブリストルの複数の内側リング（５２−５５）は、前記固体、半固体、またはゲルの非ニュートン性化粧品組成物を固定するために、中央ドーナツ開口部を貫通するように構成されている、ブラシヘッド。
【請求項６】
非ニュートン性化粧品組成物とともに使用するためのブラシヘッドであって、
ブラシヘッド基部部材であって、関連する器具の動作中に前記器具に対して適所に固定され続ける基部部材（３０；４７；７３；８０）と、
前記基部部材（３０；４７；７３；８０）に取り付けられ、かつ、皮膚と快適に接触するように適合された、少なくとも１つのブリストルの外側リング（３２、３４；４８，４９；８２，８４）と、
ずり減粘特性を有する固体、半固体、またはゲルの非ニュートン性化粧品組成物を捕捉するように適合された内側ブラシヘッド部分であって、前記ブラシヘッドが取り付けられ得る前記器具内のモータ組立体によって生じる前記内側ブラシヘッド部分への振動作用によりエネルギーを受け取るようにさらに適合された内側ブラシヘッド部分と、を備え、
選択された振動数および振幅での前記内側ブラシヘッド部分の振動が、固体、半固体、またはゲルから液体への、前記非ニュートン性化粧品組成物の状態の変化をもたらし、
前記内側ブラシヘッド部分が、堅いブリストルの複数のリング（６０）と、前記堅いブリストルのリング（６０）を取り囲むより柔らかいブリストルの複数のリング（７４，７６）と、を含み、前記内側の堅いブリストル（６０）が、前記非ニュートン性化粧品組成物がそれに押し付けられたときに前記非ニュートン性化粧品組成物を固定するのに十分な堅さである、ブラシヘッド。
【請求項７】
非ニュートン性化粧品組成物とともに使用するためのブラシヘッドであって、
ブラシヘッド基部部材であって、関連する器具の動作中に前記器具に対して適所に固定され続ける基部部材（３０；４７；７３；８０）と、
前記基部部材（３０；４７；７３；８０）に取り付けられ、かつ、皮膚と快適に接触するように適合された、少なくとも１つのブリストルの外側リング（３２、３４；４８，４９；８２，８４）と、
ずり減粘特性を有する固体、半固体、またはゲルの非ニュートン性化粧品組成物を捕捉するように適合された内側ブラシヘッド部分であって、前記ブラシヘッドが取り付けられ得る前記器具内のモータ組立体によって生じる前記内側ブラシヘッド部分への振動作用によりエネルギーを受け取るようにさらに適合された内側ブラシヘッド部分と、を備え、
選択された振動数および振幅での前記内側ブラシヘッド部分の振動が、固体、半固体、またはゲルから液体への、前記非ニュートン性化粧品組成物の状態の変化をもたらし、
内側ブラシヘッド部分が、中心ハブ（８６）と、外側ハブ（８８）と、前記外側ハブ（８８）から前記中心ハブ（８６）の方向に延在して前記中心ハブ（８６）の寸前で終端している柔軟な羽根要素（９０）と有する羽根構造を含む、ブラシヘッド。
【請求項８】
請求項７に記載のブラシヘッドにおいて、均等に離間されたおおよそ６つの羽根部材（９０）が存在する、ブラシヘッド。
【請求項９】
請求項１に記載のブラシヘッドにおいて、前記ブラシヘッド部分の振動の前記振動数が、１３５〜１７５Ｈｚの範囲内であり、前記振幅が、約３°から１８°に及んで、ずり減粘効果の生成を支援する、ブラシヘッド。
【発明の詳細な説明】
【技術分野】
【０００１】
[0001]本開示は、顔用のメーキャップを除去するように適合された構成を有するブラシヘッドを対象とし、より詳細には、音声周波数範囲内での振動作用を伴って皮膚ブラシ器具において動作するそのようなブラシヘッドに関する。
【背景技術】
【０００２】
[0002]顔用のメーキャップを使用する全ての人にとって、特に定期的に顔用のメーキャップを使用する全ての人にとって、良好な皮膚の健康を維持するために、また、新たなメーキャップの塗布を容易にするために、新たなメーキャップを塗布する前に現存のメーキャップを効果的に除去することに関する、継続的な要求が存在する。
【０００３】
[0003]顔用のメーキャップは、除去の難しさが異なり得る様々な調合物を含むが、典型的なメーキャップ除去の方法は、予め湿らされたタオル、ワイプ、もしくはパッド、または、綿のパッドもしくは球で塗布される液体メーキャップ除去製品を含む。顔用のメーキャップは、最初に皮膚から緩められ、次いで浮き上げさせられて除去されなければならず、この場合もやはり、典型的にはワイプまたは柔らかいパッドを用いる。これらの従来の方法によるメーキャップ除去の過程は、時間のかかるものであり、また、その作業に当てられた時間および配慮、ならびにメーキャップ除去剤自体の洗浄特性によっては、決して効果的ではない場合がある。
【発明の概要】
【発明が解決しようとする課題】
【０００４】
[0004]したがって、より効果的で、簡便で、かつ時間の消費が少ないメーキャップ除去の技法／過程が、望ましい。
【課題を解決するための手段】
【０００５】
[0005]したがって、非ニュートン性化粧品組成物とともに使用するためのブラシヘッドは、ブラシヘッド基部部材であって、関連する器具の動作中に器具に対して適所に固定され続ける基部部材と、基部部材に取り付けられ、かつ、皮膚と快適に接触するように適合された、少なくとも１つのブリストルの外側リングと、ずり減粘特性を有する固体、半固体、またはゲルの非ニュートン性化粧品組成物を捕捉するように適合された内側ブラシヘッド部分であって、ブラシヘッドが取り付けられ得る器具内のモータ組立体によって生じる内側部分への振動作用によりエネルギーを受け取るようにさらに適合された内側部分と、を備え、選択された振動数および振幅での内側部分の振動が、固体、半固体、またはゲルから液体への、非ニュートン性化粧品組成物の状態の変化をもたらす。
【図面の簡単な説明】
【０００６】
【図１】[0006]１つの実施形態による皮膚ブラシを含む皮膚洗浄器具の、部分的に分解組立図で表された斜視図である。
【図２】[0007]ブラシヘッドおよび付属の固体、半固体、ゲル、などの非ニュートン性メーキャップ除去部材の１つの実施形態の概略図である。
【図３】[0008]ブラシヘッドおよび付属の固体、半固体、ゲル、などの非ニュートン性メーキャップ除去部材の別の実施形態の概略図である。
【図４】[0009]ブラシヘッドおよび付属の固体、半固体、ゲル、などの非ニュートン性メーキャップ除去部材のさらなる実施形態の概略図である。
【図５】[00010]ブラシヘッドおよび付属のメーキャップ除去要素のさらに別の実施形態の概略図である。
【発明を実施するための形態】
【０００７】
[00011]図１は、握り部１２およびブラシヘッド１４を含む器具１０の全体を示す。一実施形態では、ブラシヘッド１４は、下記のように器具が操作されたときのメーキャップ除去ために構成されかつ適合される。具体的な握り部１２は、例示の目的のために示されているだけである。本明細書において図示されかつ説明されるブラシヘッドとともに、様々な握り部が使用され得る。握り部１２は、駆動組立体を含み、この駆動組立体は、ブラシヘッド１４を取り付けることができる駆動部材２０に作用する、モータ１８を含む。ブラシヘッド１４は、駆動部材および握り部に容易に取り付けることができ、また、駆動部材および握り部から容易に取り外すことができる。モータ１８は、再充電可能な電池２２によって作動し、マイクロプロセッサ２４によって制御される。マイクロプロセッサは、振動する形でのブラシヘッドの運動に様々な振動数および振幅を提供するようにプログラムされ得る。振動数および振幅の１つの具体的な組合せは、メーキャップ除去用ブラシヘッドを駆動するために使用され得る。握り部は、器具の制御および操作のための入／切スイッチ２６の他に、出力増加の制御のためのスイッチ２８を含む。
【０００８】
[00012]図２〜５は、以下ブラシヘッドと呼ばれるメーキャップ除去用ブラシヘッドのいくつかの実施形態を示す。図２〜５の実施形態は、以下で説明される動作上の特性を有する器具とともに使用されたときに効果的なメーキャップ除去を提供することが特に可能な種々のブラシヘッド構成を代表するものである。ブラシヘッドは、液体の形態において皮膚からのメーキャップの除去に効果的である非ニュートン性の固体、半固体、ゲル、などのバルム剤（ｂａｌｍ）のドーズ／タブレットとともに使用される。示された実施形態では、ブラシヘッドは、ピークトゥピークが３〜１８°の範囲内の振動振幅、好ましくは逸脱がおおよそ９°の振動振幅を有する振動運動を伴って、６０〜３００Ｈｚの範囲内の振動数、好ましくはおおよそ１７５Ｈｚの振動数で駆動される。
【０００９】
[00013]実施形態のそれぞれによる動作にあたっては、振動するモータからの運動エネルギーが、上記の振動数および振幅で振動しているブラシに結合される。一実施形態では、非ニュートン性の固体、半固体、ゲル、などの調合物のドーズは、印加されるエネルギー刺激の存在下で、固体、半固体、ゲル、などから可逆的に変化する。一実施形態では、印加されるエネルギー刺激が止められると、非ニュートン性の固体、半固体、ゲル、などのドーズは、その固体、半固体、ゲル、などの状態に戻る。一実施形態では、非ニュートン性の固体、半固体、ゲル、などの調合物のドーズは、ブラシに結合された運動エネルギーにより、固体、半固体、ゲル、などから、液体に可逆的に変化し、次いで液体は、メーキャップの除去、美容のためのコーティングの塗布、などのために、ヒトの皮膚に塗布される。非ニュートン性のずり減粘材料は、印加されるエネルギー刺激の存在下では、固体、半固体、ゲル、などから液体に状態を変え、印加されるエネルギー刺激の不在下では、固体、半固体、ゲル、などに状態を戻す。ずり減粘材料は、定義によれば、印加されるずり応力が増大したときに材料の粘性が非線形に低下する材料である。これにより、材料は、その状態を固体、半固体、ゲル、などから液体に変化させる。この場合においては、このことは、固体、半固体、ゲル、などのバルム剤のタブレットが初めのうちは都合よく確実にブラシヘッドに係留されるかまたは繋ぎ止められることを可能にする。次いで、ブラシヘッドを含む器具は、固体、半固体、ゲル、などのタブレットを落とすことなく、または、液体をこぼすことなく、皮膚に隣接した垂直位置まで持ち上げられ得る。
【００１０】
[00014]モータからの運動エネルギーをブラシヘッドと固体、半固体、ゲル、などのバルム剤タブレットとに結合することは、本ブラシヘッドを用いて様々な方法で達成され得る。第１に、１つまたは複数の実施形態におけるブラシヘッドは、フィラメントまたは他の柔軟な部材を有し、その結果、ブラシヘッドが振動すると、フィラメントは、曲りかつ移動して、ブラシヘッド内に繋ぎ止められた非ニュートン性の固体、半固体、ゲル、などのバルム剤タブレットと擦れ合う。さらに、運動エネルギーが、固体、半固体、ゲル、などのバルム剤要素に固定して接触する杭または他の要素の使用を通じて、ブラシヘッドに直接結合され得る。なおもさらに、固体、半固体、ゲル、などのバルム剤要素は、ブラシヘッドが振動するときに、バルム剤タブレットが皮膚の一領域に接触し、その特定の領域におけるずり力により非ニュートン性の固体、半固体、ゲル、などのドーズがメーキャップの効率的な除去のために液体に変化するような方法で、ブラシヘッド内に繋ぎ止められるかまたは保持され得る。
【００１１】
[00015]１つの実施形態が、図２に示されている。この実施形態は、図１に示されるような握り部内の駆動部材と組み合うように構成されかつ適合された、ブラシヘッド基部３０を含む。そのような接続のための１つの構成が、本発明の譲受人によって所有され両方とも参照により本明細書に組み込まれる、米国特許第７，３８６，９０６号に示されている。基部３０は、固定され、器具の動作中に振動しない。図２の実施形態は、ブリストルの房の２つの外側リング３２および３４を含む。示された実施形態では、２つの房のリングは、基部３０に取り付けられ、したがって、器具の動作中に移動しない。それらは、刈り込み高さが１．０７９５ｃｍ（０．４２５インチ）で、端部が丸められて研磨され、どの房も標準のフィラメントパッキングを伴う、３〜４ミルのＤｕＰｏｎｔスーパーソフトフィラメントで構成される。これらの２つの房のリングは、ブラシヘッドの外側境界を形成し、数ある目的の中でも特に飛び散りに対する防護遮蔽体として機能し、さらに、メーキャップを浮き上がらせるのに役立つ。
【００１２】
[00016]一実施形態では、ブラシの内側部分は、その中心に杭要素３８を含み、この杭要素３８は、示された実施形態では、４０Ａのショアー硬さを有するプラスチックシリコン部品である。杭３８は、おおよそ０．５０８ｃｍ（０．２インチ）の高さであり、おおよそ円錐の形状である。杭３８は、非ニュートン性ドーズ要素３９のための係留部材として機能する。一実施形態では、杭３８は、対称的な構造を含むか、または、非ニュートン性の固体、半固体、ゲル、などのタブレットを係留するのにさらに役立つために、非対称的な構造を含む。一実施形態では、内側部分の１つまたは複数の領域が、規則的なまたは不規則なパターンで配置されたエラストマ突起の房またはブリストルを含む。
【００１３】
[00017]図２に示された実施形態における杭３８は、シリコン突出要素４０〜４３の４つのリングに取り囲まれており、これらのシリコン突出要素４０〜４３は、実施形態により高さが０．１２７ｃｍ（０．０５インチ）から０．８８９ｃｍ（０．３５インチ）まで異なり、０．１５２４ｃｍ（０．０６インチ）の直径を有する。杭要素は、突出部のリングよりも常に高いことになる。突出部のリングの間隔は、おおよそ０．１５２４ｃｍ（０．０６インチ）から０．２２８６ｃｍ（０．０９インチ）の間である。いずれか１つの実施形態では、各エラストマ突起の高さは、おおよそ同じになる。寸法は、ある程度の範囲で変化し得る。バルム剤ドーズ３９の下面は、リングのエラストマ突起に接触する。ブラシヘッドの内側の残りの部分は、フィラメントの２つのリング４５および４６を備えるが、１つまたは複数の追加的なフィラメントのリングが使用されてもよい。これらのリングは、１．０７９５ｃｍ（０．４２５インチ）の高さを有し、かつ、示された実施形態では、皮膚との穏やかな相互作用を可能にするために、端部が丸められて研磨された、３〜４ミルのＤｕＰｏｎｔスーパーソフトフィラメントで構成される。ＤｕＰｏｎｔスーパーソフト材料は、メーキャップを捕らえて除去するその能力のためだけではなく、ユーザにとって心地よいものであるために、使用される。
【００１４】
[00018]駆動されるブラシヘッドにおける異なる剛性の材料は、それらの材料間での違相（位相の異なる）の運動を生じさせ得る。本ブラシヘッドの場合、運動は、内側ブラシヘッドにおけるＤｕＰｏｎｔスーパーソフトフィラメントの最も内側のリング４６と最も外側の（第４の）エラストマ突起の列４３との間で、１４０°〜１８０°の違相である。搭載された内側ブラシヘッド部分が４〜９°の範囲内の振幅を伴って１７５Ｈｚで動き、上記の２つの要素の半径がそれぞれ０．８５０９ｃｍ（０．３３５インチ）および０．９５２５ｃｍ（０．３７５インチ）である場合、毎秒２０．３９６２ｃｍ（８．０３インチ）〜４６．９９ｃｍ（１８．５０インチ）の方向性速度（ｄｉｒｅｃｔｉｏｎａｌ  ｖｅｌｏｃｉｔｙ）、および毎秒２３．０６３２ｃｍ（９．０８インチ）〜５２．２２２４ｃｍ（２０．５６インチ）の方向性速度が生じる。内側ブラシヘッドの上記２つの要素は、それぞれ上記の２つの速度範囲内で１４０°〜１８０°の違相で動いているので、２つの要素のリング間の相対速度は、上記のものよりも遙かに高くなる。固体、半固体、ゲル、などのバルム剤タブレットが経験する、相対速度、すなわち２つの個々の速度の和は、毎秒１７．９３２４ｃｍ（７．０６インチ）から毎秒９９．２１２４ｃｍ（３９．０６インチ）に及ぶであろう。この相対速度の範囲内では、バルム剤タブレットは、通常の加重条件下で、固体、半固体、ゲル、などから液体にずり減粘する。液体メーキャップ除去剤調合物は、ブラシヘッドの内側部分の振動作用とともに、顔用のメーキャップを効果的かつ迅速に除去するように作用する。
【００１５】
[00019]第２の実施形態が、図３に示されている。この実施形態は、図２の実施形態と同様の材料およびサイズを有するブラシヘッド基部４７と２つの固定された外側リング４８および４９とを含むという点で、図２の実施形態に似ている。振動する内側ブラシヘッド部分は、リング４４および４６を構成するフィラメントに類似したフィラメントを備える、フィラメントリングの中心部分を含む。これらのフィラメントは、４つの同心のリング５２〜５５を形成する。示された実施形態におけるリング５５の外径は、おおよそ２．１３３６ｃｍ（０．８４インチ）である。中心部分のフィラメントリング５２〜５５と外側の固定されたリング４８および４９との間には、エラストマ突起の２つのリング５６および５８が位置決めされる。これらの突起は、おおよそ０．１５２４ｃｍ（０．０６インチ）の高さであり、おおよそ０．１５２４ｃｍ（０．０６インチ）の直径を有する。この実施形態に関連する非ニュートン性のバルム剤タブレット５９は、中心部分のフィラメントリングと固定された外側のフィラメントのリングとの間の領域内に嵌まるような内径および外径を有するドーナツ形状とされて、中間の突起のリングに接触する。ドーナツ状のタブレットは、ブラシヘッドが皮膚に接触する位置まで器具が持ち上げられたときに、フィラメントの外側の列５５の側面がタブレットを所定の位置に保持するように、構成される。動作にあたっては、ずり減粘効果が、図２の実施形態に関して上記で説明された異なる運動効果を含む、上述の様々なずり応力効果により、タブレットを、固体、半固体、ゲル、などのバルム剤タブレットから、メーキャップ除去に有用な液体に変化させる。
【００１６】
[00020]図４は、ブラシヘッドが内側ブラシヘッド（振動する）部分のエラストマ部品を含む代わりに全てブリストルを備える、さらなる実施形態を示す。この実施形態は、０．５７１５ｃｍ（０．２２５インチ）の高さに切られた３〜１２ミルのＤｕＰｏｎｔスーパーソフトフィラメントの４つの内側リングによる中心部分６０を有する、内側振動部分を含む。４つのフィラメントのリングは、全体として、図３のエラストマ突起によって提供されるのに類似した、固体、半固体、ゲル、などのバルム剤タブレットを適切に据え付けかつ保持するのに十分な剛性を提供する。内側ブラシ部分はまた、中心部分リング６０よりも高い、外側フィラメントの２つのリング７４、７６を含む。この実施形態はまた、図２および３の実施形態と同様に、ブラシヘッド基部７３内の適所に固定された２つの外側リング７０、７２を含む。実質的な差速を維持するために、中心部分ブリストルの外側リングと内側ブラシヘッド部分の外側ブリストルの内側リング７４との間で、違相運動が達成され得る。好ましい構成では、振動する内側部分の中心部分ブリストル６０は、０．６０９６ｃｍ（０．２４０インチ）から０．７１１２ｃｍ（０．２８０インチ）まで互い違いに高さが変化する、０．０３０４８ｃｍ（０．０１２インチ）ＰＢＴフィラメントブリストルであり、上記のように、バルム剤タブレット７８を据え付けるための剛性と、ずり減粘を支援するための違相運動の両方を提供する。この実施形態では、振動する内側部分の２つの外側リング、および固定された２つの外側リングは、やはり、高さが１．０７９５ｃｍ（０．４２５インチ）の、標準のパッキングを含む３ミルのＤｕＰｏｎｔスーパーソフトである。
【００１７】
[00021]図５は、振動する異なる内側ブラシヘッド部分を示す、さらに別の実施形態を示す。この実施形態は、基部要素８０と、２つの外側リング８２および８４とを含み、これらは、他の実施形態のための基部要素および固定された２つの外側リングと同じ構成および材料を有して、適所に固定される。しかし、内側ブラシヘッド部分は、エラストマ要素またはブリストルを含まず、中心の内側ハブ８６と、外側ハブ８８と、外側ハブから中心ハブの方向に延在して中心ハブから少し離れた（もう少しで接触する）所で終端する離間した複数の羽根９０とを有する、車輪様の構成を備える。示された実施形態では、中心ハブは、高さがおおよそ０．４７６２５ｃｍ（３／１６インチ）、直径がおおよそ０．６３５ｃｍ（１／４インチ）で、僅かに円錐形である。外側ハブは、高さがおおよそ０．４７６２５ｃｍ（３／１６インチ）、厚さがおおよそ０．３１７５ｃｍ（１／８インチ）で、２．８５７５ｃｍ（１−１／８インチ）の外径を有する。示された実施形態では、均等に離間された６つの羽根が存在するが、この数は変化し得る。羽根は、外側ハブ８８から内側ハブ８６に隣接するそれらの終端点まで、わずかにテーパ付けされる。羽根は、具体的には、内側ブラシヘッド部分が振動すると羽根も振動して固体、半固体、ゲル、などのバルム剤タブレットの下面と擦り合い、それにより振動作用によるエネルギーがタブレットに結合されて十分なずりがもたらされ、それにより後の皮膚への塗布のために非ニュートン性のバルム剤タブレットが固体、半固体、ゲル、などから液体に変化するように、シリコーンＴＰＥなどの柔軟なプラスチックで作られる。一実施形態では、半固体の非ニュートン性バルム剤が、羽根によって部分的に係留される。一実施形態では、羽根は、半固体の非ニュートン性バルム剤に力学的歪みを与えて、状態の変化をもたらす。タブレットが羽根に押し付けられかつ開口部内にわずかに押し込められ得るように、羽根に隣接する開口部が存在して、水平位置から使用のために皮膚に接触する動作位置への器具の移動中、タブレットを所定の位置に保持する。
【００１８】
[00022]したがって、メーキャップ除去性能を有する固体の非ニュートン性バルム剤タブレットを器具の動作中に所定の位置に保持することができ、内側ブラシヘッド部分が選択された範囲内の振動数および振幅で振動したときにタブレットが固体、半固体、ゲル、などの形態から液体の形態に変化するのに十分なずり力がタブレットにもたらされる、ブラシヘッドの様々な実施形態を説明してきた。次いで、液体は、皮膚上に移動し、その皮膚上において、ブラシヘッドの振動作用、および固定された外側リングが、堆積したメーキャップを浮き上がらせるとともに、それを皮膚から除去する。典型的には、現存のメーキャップが、効果的かつ上手に除去される。
【００１９】
[00023]例示の目的のために、本発明の好ましい実施形態を開示してきたが、以下の特許請求の範囲によって定められる本発明の精神から逸脱することなく様々な変更、修正、および置換が実施形態に組み込まれ得ることが、理解されるべきである。
［形態１］
非ニュートン性化粧品組成物とともに使用するためのブラシヘッドであって、
ブラシヘッド基部部材であって、関連する器具の動作中に前記器具に対して適所に固定され続ける基部部材と、
前記基部部材に取り付けられ、かつ、皮膚と快適に接触するように適合された、少なくとも１つのブリストルの外側リングと、
ずり減粘特性を有する固体、半固体、またはゲルの非ニュートン性化粧品組成物を捕捉するように適合された内側ブラシヘッド部分であって、前記ブラシヘッドが取り付けられ得る前記器具内のモータ組立体によって生じる前記内側部分への振動作用によりエネルギーを受け取るようにさらに適合された内側部分と、を備え、選択された振動数および振幅での前記内側部分の振動が、固体、半固体、またはゲルから液体への、前記非ニュートン性化粧品組成物の状態の変化をもたらす、ブラシヘッド。
［形態２］
形態１に記載のブラシヘッドにおいて、前記液体が、メーキャップ除去に有用である、ブラシヘッド。
［形態３］
形態１に記載のブラシヘッドにおいて、前記内側部分が、１つまたは複数のブリストルのリングと、前記非ニュートン性化粧品組成物を支持する複数のエラストマ部材と、前記非ニュートン性化粧品組成物が固定され得る、前記エラストマ部材よりも高さのある中心杭と、を含み、それにより前記器具が向きを変えるときに、前記固体、半固体、またはゲルの非ニュートン性組成物が前記ブラシヘッド内に維持される、ブラシヘッド。
［形態４］
形態３に記載のブラシヘッドにおいて、固定された同心の２つの外側リングを含み、前記内側部分が、少なくとも２つの同心のブリストルのリングと、前記中心杭と前記ブリストルの内側部分リングとの間の複数のエラストマ部材のリングと、を含む、ブラシヘッド。
［形態５］
形態４に記載のブラシヘッドにおいて、前記外側ブリストル、および前記内側部分ブリストルが、１．０７９５ｃｍ（０．４２５インチ）の高さを有する３ミルのＤｕＰｏｎｔスーパーソフトフィラメントであり、前記突起が、おおよそ０．１５２４ｃｍ（０．０６インチ）の直径を有して高さが０．１２７ｃｍ（０．０５インチ）〜０．８８９ｃｍ（０．３５インチ）に変化する、ブラシヘッド。
［形態６］
形態１に記載のブラシヘッドにおいて、前記内側部分が、前記外側リングブリストルと同じ高さを有する複数のブリストルのリングを含み、さらに、前記内側部分ブリストルと前記外側ブリストルとの間で前記内側ブリストルを取り囲む少なくとも２つのエラストマ突起のリングを含み、前記突起が、前記内側ブリストルよりも短く、前記固体、半固体、またはゲルの非ニュートン性化粧品組成物が、ドーナツ形状とされ、前記固体、半固体、またはゲルの非ニュートン性化粧品組成物が前記ブラシヘッド上に位置決めされるときに、前記内側ブリストルが中央ドーナツ開口部を貫通する、ブラシヘッド。
［形態７］
形態１に記載のブラシヘッドにおいて、前記内側部分が、堅いブリストルの複数のリングと、前記堅いブリストルのリングを取り囲むより柔らかいブリストルの複数のリングと、を含み、前記内側の堅いブリストルが、前記非ニュートン性化粧品組成物がそれに押し付けられたときに前記非ニュートン性化粧品組成物を固定するのに十分な堅さである、ブラシヘッド。
［形態８］
形態１に記載のブラシヘッドにおいて、内側組立体が、中心ハブと、外側ハブと、前記外側ハブから前記中心ハブの方向に延在して前記中心ハブの寸前で終端している柔軟な羽根要素と有する羽根構造を含む、ブラシヘッド。
［形態９］
形態８に記載のブラシヘッドにおいて、均等に離間されたおおよそ６つの羽根部材が存在する、ブラシヘッド。
［形態１０］
形態１に記載のブラシヘッドにおいて、前記内側組立体が、中心ハブと、外側ハブと、中心位置から外方に放射状に延在する複数の羽根要素とを有する羽根構造を含む、ブラシヘッド。
［形態１１］
形態１に記載のブラシヘッドにおいて、前記内側部分の振動の前記振動数が、１３５〜１７５Ｈｚの範囲内であり、前記振幅が、約３°から１８°に及んで、ずり減粘効果の生成を支援する、ブラシヘッド。
【図１】
0006596092.tif 000002
【図２】
0006596092.tif 000003
【図３】
0006596092.tif 000004
【図４】
0006596092.tif 000005
【図５】
0006596092.tif 000006